【事件の表示】
　特許第５８８９８１９号発明「太陽電池裏面封止用シート」の特許異議申立事件について、次のとおり決定する。
【結　論】
　特許第５８８９８１９号の特許請求の範囲を訂正請求書に添付された訂正特許請求の範囲のとおり、訂正後の請求項〔１〜８〕について」）訂正することを認める。
　特許第５８８９８１９号の請求項１〜３、６〜８に係る特許を維持する。
　特許第５８８９８１９号の請求項４及び５に係る特許についての特許異議の申立てを却下する。
【理　由】
第１　手続の経緯
　本件特許第５８８９８１９号の請求項１に係る特許についての出願は、平成１８年６月２１日に出願した特願２００６−１７１５３４号（以下、「原出願」という。）の一部を平成２５年３月１１日に新たな特許出願としたものであって、平成２８年２月２６日付けでその特許権の設定登録がなされ、その後、平成２８年８月９日付けで特許異議申立人特許業務法人朝日奈特許事務所（以下、単に「申立人」という。）により特許異議の申立てがなされ、平成２８年１１月１５日付けで取消理由が通知され、その指定期間外である平成２９年１月２５日に上申書が提出され、同年２月１７日付けで取消理由（決定の予告）が通知され、同年３月１５日付けで意見書の提出及び訂正請求がされたものである。
第２　訂正の適否
１　訂正の内容
（１）訂正事項１
　訂正前の願書に添付した特許請求の範囲（以下、単に「訂正前特許請求の範囲」という。）の請求項１に「混合物（以下、ポリオールＢ）を含み、」とあるのを
「混合物（以下、ポリオールＢ）
であるか、または、
　
ポリエステルポリオールあるいは２官能以上のイソシアネート化合物により鎖伸長を施したポリエステルウレタンポリオールのいずれか単体または混合物（以下、ポリオールＡ）１〜５０重量％に対し、前記ポリオールＢを５０〜９９重量％配合したポリオール系組成物であるか、または、
　
前記ポリオールＢ５０〜９９重量％および下記ポリオールＡ１〜５０重量％を、２官能以上のイソシアネート化合物により鎖伸長を施した共重合型ポリオールである、
に訂正する。
（下線は、訂正箇所を示す。以下、同じ。）
（２）訂正事項２
　訂正前特許請求の範囲の請求項４を削除する。
（３）訂正事項３
　訂正前特許請求の範囲の請求項５を削除する。
（４）訂正事項４
　訂正前特許請求の範囲の請求項６に「請求項１から５のいずれか一項に」とあるのを
「請求項１から
３
（５）訂正事項５
　訂正前特許請求の範囲の請求項７に「請求項２から６のいずれか一項に」とあるのを
「請求項２
、３、６
（６）訂正事項６
　訂正前特許請求の範囲の請求項８に「請求項２から７のいずれか一項に」とあるのを
「請求項２
、３、６、
２　訂正の目的の適否、一群の請求項、新規事項の有無及び特許請求の範囲の拡張・変更の存否
（１）訂正事項１について
ア　訂正の目的
　訂正事項１は、「混合物（以下、ポリオールＢ）を含み、」を、
「混合物（以下、ポリオールＢ）であるか、または、
　ポリエステルポリオールあるいは２官能以上のイソシアネート化合物により鎖伸長を施したポリエステルウレタンポリオールのいずれか単体または混合物（以下、ポリオールＡ）１〜５０重量％に対し、前記ポリオールＢを５０〜９９重量％配合したポリオール系組成物であるか、または、
　前記ポリオールＢ５０〜９９重量％および下記ポリオールＡ１〜５０重量％を、２官能以上のイソシアネート化合物により鎖伸長を施した共重合型ポリオールである、」
に減縮するものである。
　よって、訂正事項１は、特許請求の範囲の減縮を目的とするものである。
イ　新規事項
　願書に最初に添付した明細書及び図面(以下、単に「当初明細書等」という。）には、
「　【００１８】
　以下、この耐加水分解性に優れる接着剤あるいは接着剤組成物について記載する。まず本発明の太陽電池裏面封止用シートに用いられるポリウレタン系接着剤として、
ポリエステルポリオールあるいは２官能以上のイソシアネート化合物により鎖伸長を施したポリエステルウレタンポリオールのいずれか単体または混合物（以下、ポリオールＡと記載する）
「【００２７】
・・・ポリウレタン系材料として考えられるポリオール成分は、ポリエーテルポリオール、ポリカーボネートポリオール、アクリルポリオールなどが考えられ、これらの成分を主剤としたものを用いることが可能であるが、耐熱性などを考慮すると、ポリカーボネートポリオールやアクリルポリオールなどが好ましい。
　【００２８】
　ポリカーボネートポリオールとしては、例えばカーボネート化合物とジオールとを反応させて得る事ができる。カーボネート化合物としてはジメチルカーボネート、ジフェニルカーボネート、エチレンカーボネートなどを用いることができる。ジオールとしてはエチレングリコール、プロピレングリコール、ブタンジオール、ネオペンチルグリコール、メチルペンタンジオール、ヘキサンジオール、ヘプタンジオール、オクタンジオール、ノナンジオール、デカンジオール、ドデカンジオールなどの脂肪族ジオール、シクロヘキサンジオール、水添キシリレングリール、などの脂環式ジオール、キシリレングリール、などの芳香族ジオールなどの１種以上の混合物が用いられた
ポリカーボネートポリオール、あるいは上述したイソシアネート化合物により鎖伸長を施したポリカーボネートウレタンポリオール（以下、ポリオールＢ）
・・・
　【００３０】
　これらの
ポリオールＢ
は、ポリオールＡとのブレンド物、例えばポリオールＢ＋ポリオールＡ
（以下このブレンド物をポリオールＤ）
ポリオールＢ
はポリオールＡと上述した２官能以上のイソシアネート化合物を用いて鎖伸長させた共重合体
ばポリオールＢ−ポリオールＡの主鎖ブロック共重合体、ポリオールＣ−ポリオールＡの側鎖型ブロック共重合体であっても構わない（以下、ポリオールＥ）。・・・
ポリオールＤ、Ｅについては、耐加水分解性の骨格であるポリオールＢ、
を５０〜９９重量％に対し、加水分解性を示すポリオールＡを１〜５０重量％に設定する
との記載があり、訂正事項１が新規事項の追加に該当しないことは明らかである。
ウ　特許請求の範囲の拡張・変更
　上記「ア」で検討したとおり、訂正事項１は、訂正前特許請求の範囲の請求項１の減縮を目的とするものであって、実質上特許請求の範囲を拡張し、又は変更するものではない。
（２）訂正事項２及び３について
ア　訂正の目的
　訂正事項２及び３は、訂正前特許請求の範囲の請求項４及び５を削除するものであるから、特許請求の範囲の減縮を目的とするものである。
イ　特許請求の範囲の拡張・変更
　上記「ア」で検討したとおり、訂正事項２及び３は、特許請求の範囲の減縮を目的とするものであって、実質上特許請求の範囲を拡張し、又は変更するものではない。
（３）訂正事項４〜６について
ア　訂正の目的
　訂正事項４〜６は、訂正事項２及び３による訂正前特許請求の範囲の請求項４及び５の削除に併せて、訂正前特許請求の範囲の請求項６〜８の引用請求項を訂正するものである。
　すると、訂正事項４〜６は、明瞭でない記載の釈明を目的とするものである。
イ　特許請求の範囲の拡張・変更
　上記「ア」で検討したとおり、訂正事項４〜６は、明瞭でない記載の釈明を目的とするものであって、実質上特許請求の範囲を拡張し、又は変更するものではない。
（４）一群の請求項
　訂正前特許請求の範囲の請求項１〜８は、請求項２〜７が請求項１の記載を引用する関係にあるから、訂正前において一群の請求項に該当するものである。
　したがって、訂正事項１〜６は、一群の請求項ごとにされたものである。
３　むすび
　したがって、上記訂正請求に係る訂正事項１〜６は、特許法第１２０条の５第２項ただし書き第１号又は第３号に掲げる事項を目的とするものであり、かつ、同条第４項、及び、同条第９項で準用する同法第１２６条第５項及び第６項の規定に適合するので、訂正後の請求項〔１〜８〕について訂正を認める。
第３　特許異議の申立てについて
１　訂正発明
　訂正後の請求項１〜８に係る発明（以下、それぞれ、「訂正発明１」〜「訂正発明８」という。）は、訂正後の特許請求の範囲の請求項１〜８に記載された事項により特定される、次のとおりのものである。
「　【請求項１】
　少なくとも２層以上の基材をポリウレタン系接着剤にて貼りあわせた積層体からなる太陽電池裏面封止用シートにおいて、
　前記基材の一層は、ポリエステル基材を含んで形成されたポリエステル基材層であって、
　前記ポリエステル基材層は、前記ポリウレタン系接着剤と隣接して配置されており、
　前記ポリウレタン系接着剤が、ポリオールに架橋剤を配合した組成物の１００重量部に対し、カルボジイミド化合物を１〜５０重量部配合した接着剤組成物であり、
　前記ポリオールは、ポリカーボネートポリオールあるいは２官能以上のイソシアネート化合物により鎖伸長を施したポリカーボネートウレタンポリオールのいずれか単体または混合物（以下、ポリオールＢ）であるか、または、
　ポリエステルポリオールあるいは２官能以上のイソシアネート化合物により鎖伸長を施したポリエステルウレタンポリオールのいずれか単体または混合物（以下、ポリオールＡ）１〜５０重量％に対し、前記ポリオールＢを５０〜９９重量％配合したポリオール系組成物であるか、または、
　前記ポリオールＢ５０〜９９重量％および下記ポリオールＡ１〜５０重量％を、２官能以上のイソシアネート化合物により鎖伸長を施した共重合型ポリオールである、」
　前記ポリウレタン系接着剤が下記条件を満たす耐加水分解性を有することを特徴とする太陽電池裏面封止用シート。
・ハイプレッシャークッカー（加圧蒸気による促進評価装置）で少なくとも１０５℃−１６８ｈ保存状態で１Ｎ／１５ｍｍ以上のラミネート強度を有する。
・ハイプレッシャークッカー（加圧蒸気による促進評価装置）での保存評価で、ディラミネーションに伴う基材間の浮きを伴わない。
　　【請求項２】
　前記ポリエステル基材層は、他の二つの基材の間に、前記ポリウレタン系接着剤を介して積層配置されている、請求項１に記載の太陽電池裏面封止用シート。
　　【請求項３】
　前記ポリエステル基材の固有粘度が０．２〜０．５ｄｌ／ｇである、請求項１または２に記載の太陽電池裏面封止用シート。
　　【請求項４】　　（削除）
　　【請求項５】　　（削除）
　　【請求項６】
　前記架橋剤が、２，４−もしくは２，６−トリレンジイソシアネート、キシリレンジイソシアネート、４，４’−ジフェニルメタンジイソシアネート、メチレンジイソシアネート、イソプロピレンジイソシアネート、リジンジイソシアネート、２，２，４−−もしくは２，４，４−トリメチルヘキサメチレンジイソシアネート、１，６−ヘキサメチレンジイソシアネート、メチルシクロヘキサンジイソシアネート、イソホロンジイソシアネート、４，４’−ジシクロヘキシルメタンジイソシアネート、イソプロピリデンジシクロヘキシル−４，４’−ジイソシアネートからなる群より選ばれるイソシアネート化合物から誘導されるアダクト体、ビューレット体及びイソシアヌレート体のいずれかであることを特徴とする請求項１から３のいずれか一項に記載の太陽電池裏面封止用シート。
　　【請求項７】
　前記他の二つの基材が、ポリエチレンテレフタレート（ＰＥＴ）、ポリエチレンナフタレート（ＰＥＮ）、ポリブチレンテレフタレート（ＰＢＴ）、ポリシクロヘキサンジメタノール−テレフタレート（ＰＣＴ）から選ばれるポリエステル基材、ポリカーボネート系基材、ポリフッ化ビニル（ＰＶＦ）、ポリフッ化ビニリデン（ＰＶＤＦ）、ポリクロロトリフルオロエチレン（ＰＣＴＦＥ）、ポリエチレンテトラフルオロエチレン（ＥＴＦＥ）、ポリテトラフルオロエチレン（ＰＴＦＥ）、テトラフルオロエチレンパーフルオロアルキルビニルエーテル共重合体（ＰＦＡ）、テトラフルオロエチレン−ヘキサフルオロプロピレン共重合体（ＦＥＰ）から選ばれるフッ素系基材、あるいはアクリル系基材から選択されることを特徴とする請求項２、３、６のいずれか一項に記載の太陽電池裏面封止用シート。
　　【請求項８】
　前記他の二つの基材の少なくとも一方は、数平均分子量が１８０００〜４００００の範囲で、環状オリゴマーコンテントが１．５ｗｔ％以下、固有粘度が０．５ｄｌ／ｇ以上の耐加水分解性を有するポリエステル基材であることを特徴とする請求項２、３、６、７のいずれか一項に記載の太陽電池裏面封止用シート。」
２　取消理由の概要
　訂正前の請求項１〜８に係る特許に対して、平成２９年２月１６日付けで特許権者に通知した取消理由（決定の予告）は、要旨次のとおりである。
（１）訂正前の請求項１に係る発明（以下、「本件特許発明１」という。）は、「・・・混合物（以下、ポリオールＢ）を含み」との発明特定事項を有し、本願の原出願である特願２０１０−１４１１０４号の願書に最初に添付した明細書、特許請求の範囲又は図面に記載されたものではない。 
  すると、本願は分割要件を満たさないから、その出願日は平成２５年３月１１日であると認める。
（２）本件特許発明１、訂正前の請求項２、４〜８に係る発明（以下、それぞれ、「本件特許発明２」、「本件特許発明４」〜「本件特許発明８」という。）は、甲第１号証（特開２００８−４６９１号公報：原出願の公開公報）に記載された発明であるから、特許法第２９条第１項第３号に該当し、特許を受けることができない。
　よって、本件特許発明１、２、４〜８に係る特許は取り消すべきものである。
（３）本件特許発明１、２、４〜８は、甲第１号証に記載された発明及び周知技術や技術常識等に基づいて当業者が容易に発明をすることができたものであるから、特許法第２９条第２項の規定に違反してされたものである。
　よって、本件特許発明１、２、４〜８は特許を受けることができないから、その発明に係る特許は取り消すべきものである。
（４）訂正前の請求項３に係る発明（以下、「本件特許発明３」という。）は、甲第１号証に記載された発明及び甲第１号証に記載された技術事項に基づいて当業者が容易に発明をすることができたものであるから、特許法第２９条第２項の規定に違反してされたものである。
　よって、本件特許発明３は特許を受けることができないから、その発明に係る特許は取り消すべきものである。
（５）上記「（１）」での分割要件の検討と同様、本件特許発明１は、本件特許明細書又は図面に記載された事項の範囲内のものではない。
　よって、本件特許発明１は、特許法第３６条第６項第１号に規定する要件を満たしていない特許出願に対してなされたものである。
（６）本件特許発明２〜８も、本件特許発明１と同様、特許法第３６条第６項第１号に規定する要件を満たしていない特許出願に対してなされたものである。
３　分割要件（上記「２」「（１）」）について
　訂正発明１は、
「・・・混合物（以下、ポリオールＢ）であるか、または、
　ポリエステルポリオールあるいは２官能以上のイソシアネート化合物により鎖伸長を施したポリエステルウレタンポリオールのいずれか単体または混合物（以下、ポリオールＡ）１〜５０重量％に対し、前記ポリオールＢを５０〜９９重量％配合したポリオール系組成物であるか、または、
　前記ポリオールＢ５０〜９９重量％および下記ポリオールＡ１〜５０重量％を、２官能以上のイソシアネート化合物により鎖伸長を施した共重合型ポリオールである、」
であって、上記「第２」「２」「（１）」「イ」での検討と同様、訂正発明１は、原出願の願書に最初に添付した明細書、特許請求の範囲又は図面に記載されたものとなったので、本願は分割要件を満たすものとなった。
　よって、本願の出願日は、原出願の出願日である平成１８年６月２１日に遡及すると認める。
４　本件特許発明４及び５について
　訂正により、特許請求の範囲の請求項４及び５は削除されたので、特許異議の申立ての対象となる請求項が存在しない。
５　取消理由（上記「２」「（２）」〜「（４）」について）
　上述のとおり、本願の出願日は、原出願の出願日である平成１８年６月２１日に遡及するから、甲第１号証は本願の出願前に頒布された刊行物ではない。
　したがって、甲第１号証の記載について検討するまでもなく、上記「２」「（２）」〜「（４）」の取消理由によっては、訂正発明１〜３、６〜８に係る特許を取り消すことはできない。
６　取消理由（上記「２」「（５）」〜「（６）」について）
　上記「３」での検討と同様、訂正発明１は、本件特許明細書又は図面に記載されたものであるから、上記「２」「（５）」の取消理由によっては、訂正発明１に係る特許を取り消すことはできない。
　また、訂正発明１と同様、訂正発明２、３、６〜８は、本件特許明細書又は図面に記載されたものであるから、上記「２」「（６）」の取消理由によっては、訂正発明２、３、６〜８に係る特許を取り消すことはできない。
７　取消理由（決定の予告）において採用しなかった特許異議申立理由について
（１）取消理由（決定の予告）において採用しなかった特許異議申立理由の概要
　申立人は、本件特許発明１は、
「ポリカーボネートポリオールあるいは２官能以上のイソシアネート化合物により鎖伸長を施したポリカーボネートウレタンポリオールのいずれか単体または混合物（以下、ポリオールＢ）を含」むものであるから、「ポリオールＢ」が「ポリカーボネートポリオール」のみである構成を含むものである。
　しかし、本件特許明細書及び図面に記載された、＜接着剤：１＞〜＜接着剤：７＞（特に、＜接着剤：３＞、＜接着剤：４＞、＜接着剤：６＞及び＜接着剤：７＞）には、「ポリカーボネートポリオール」が含まれておらず、「ポリオールＢ」が「ポリカーボネートポリオール」のみである構成である本件特許発明１が、本件特許明細書に記載された課題を解決できるものであるか否かが不明であるから、当該構成を含む本件特許発明１まで、本件特許明細書及び図面の記載から拡張ないし一般化できるとはいえない。
　したがって、本件特許発明１は、特許請求の範囲の請求の記載が、特許法第３６条第６項第２号に規定する要件を満たしていない特許出願に対してなされたものである。
　また、本件特許発明２〜８についても、同様である。
（２）当審の判断
　本件特許明細書の段落【００２８】（上記「第２」「２」「（１）」「イ」参照）に、「ポリオールＢ」として、「ポリカーボネートポリオール」を単独で使用することも開示されている。
　また、架橋剤（＜接着剤：３＞、＜接着剤：４＞、＜接着剤：６＞及び＜接着剤：７＞では、（２官能以上のイソシアネート化合物である）イソホロンジイソシアネートを使用している。）及びカルボジイミド化合物とともにポリウレタン系接着剤を構成するためのポリオールとして、「ポリカーボネートポリオール」と「２官能以上のイソシアネート化合物により鎖伸長を施したポリカーボネートウレタンポリオール」とは類似した性質を有することは当業者には明らかである。
　すると、「ポリオールＢ」として、「ポリカーボネートポリオール」を単独使用した接着剤例がないとしても、本件特許明細書（特に、段落【００２８】）の記載により、「ポリオールＢ」として、接着剤例として開示されている「２官能以上のイソシアネート化合物により鎖伸長を施したポリカーボネートウレタンポリオール」と同様、「ポリカーボネートポリオール」を単独使用するという技術事項が開示されていると認められるから、本件特許発明１は本件特許明細書及び図面に記載したものであると認められる。また、本件特許発明２、３、６〜８についても,同様である。
（３）結論
　したがって、本件特許発明１は、特許請求の範囲の請求の記載が、特許法第３６条第６項第２号に規定する要件を満たしていない特許出願に対してなされたものであるから、申立人が主張する上記取消理由によっては、本件特許発明１〜３、６〜８に係る特許を取り消すことはできない。
第４　むすび
　以上のとおりであるから、取消理由通知に記載した取消理由及び特許異議申立書の記載した特許異議申立理由によっては、本件請求項１〜３、６〜８に係る特許を取り消すことはできない。さらに、他に、本件請求項１〜３、６〜８に係る特許を取り消すべき理由を発見しない。
　また、本件請求項４及び５に対して、申立人がした特許異議の申立てについては、対象となる請求項が存在しない。
　よって、結論のとおり決定する。
【異議決定日】
平成２９年６月１日（２０１７．６．１）
【訂正の要旨】
審決（決定）の【理由】欄参照。
（５７）【特許請求の範囲】
　【請求項１】
　少なくとも２層以上の基材をポリウレタン系接着剤にて貼りあわせた積層体からなる太陽電池裏面封止用シートにおいて、
　前記基材の一層は、ポリエステル基材を含んで形成されたポリエステル基材層であって、
　前記ポリエステル基材層は、前記ポリウレタン系接着剤と隣接して配置されており、
　前記ポリウレタン系接着剤が、ポリオールに架橋剤を配合した組成物の１００重量部に対し、カルボジイミド化合物を１〜５０重量部配合した接着剤組成物であり、
　前記ポリオールは、ポリカーボネートポリオールあるいは２官能以上のイソシアネート化合物により鎖伸長を施したポリカーボネートウレタンポリオールのいずれか単体または混合物（以下、ポリオールＢ）
であるか、または、
　
ポリエステルポリオールあるいは２官能以上のイソシアネート化合物により鎖伸長を施したポリエステルウレタンポリオールのいずれか単体または混合物（以下、ポリオールＡ）１〜５０重量％に対し、前記ポリオールＢを５０〜９９重量％配合したポリオール系組成物であるか、または、
　
前記ポリオールＢ５０〜９９重量％および前記ポリオールＡ１〜５０重量％を、２官能以上のイソシアネート化合物により鎖伸長を施した共重合型ポリオールである、
　前記ポリウレタン系接着剤が下記条件を満たす耐加水分解性を有することを特徴とする太陽電池裏面封止用シート。
・ハイプレッシャークッカー（加圧蒸気による促進評価装置）で少なくとも１０５℃−１６８ｈ保存状態で１Ｎ／１５ｍｍ以上のラミネート強度を有する。
・ハイプレッシャークッカー（加圧蒸気による促進評価装置）での保存評価で、ディラミネーションに伴う基材間の浮きを伴わない。
　【請求項２】
　前記ポリエステル基材層は、他の二つの基材の間に、前記ポリウレタン系接着剤を介して積層配置されている、請求項１に記載の太陽電池裏面封止用シート。
　【請求項３】
　前記ポリエステル基材の固有粘度が０．２〜０．５ｄｌ／ｇである、請求項１または２に記載の太陽電池裏面封止用シート。
　【請求項４】　　　
（削除）
　【請求項５】　　　
（削除）
　【請求項６】
　前記架橋剤が、２，４−もしくは２，６−トリレンジイソシアネート、キシリレンジイソシアネート、４，４’−ジフェニルメタンジイソシアネート、メチレンジイソシアネート、イソプロピレンジイソシアネート、リジンジイソシアネート、２，２，４−−もしくは２，４，４−トリメチルヘキサメチレンジイソシアネート、１，６−ヘキサメチレンジイソシアネート、メチルシクロヘキサンジイソシアネート、イソホロンジイソシアネート、４，４’−ジシクロヘキシルメタンジイソシアネート、イソプロピリデンジシクロヘキシル−４，４’−ジイソシアネートからなる群より選ばれるイソシアネート化合物から誘導されるアダクト体、ビューレット体及びイソシアヌレート体のいずれかであることを特徴とする請求項１から
３
　【請求項７】
　前記他の二つの基材が、ポリエチレンテレフタレート（ＰＥＴ）、ポリエチレンナフタレート（ＰＥＮ）、ポリブチレンテレフタレート（ＰＢＴ）、ポリシクロヘキサンジメタノール−テレフタレート（ＰＣＴ）から選ばれるポリエステル基材、ポリカーボネート系基材、ポリフッ化ビニル（ＰＶＦ）、ポリフッ化ビニリデン（ＰＶＤＦ）、ポリクロロトリフルオロエチレン（ＰＣＴＦＥ）、ポリエチレンテトラフルオロエチレン（ＥＴＦＥ）、ポリテトラフルオロエチレン（ＰＴＦＥ）、テトラフルオロエチレンパーフルオロアルキルビニルエーテル共重合体（ＰＦＡ）、テトラフルオロエチレン−ヘキサフルオロプロピレン共重合体（ＦＥＰ）から選ばれるフッ素系基材、あるいはアクリル系基材から選択されることを特徴とする請求項２
、３、
　【請求項８】
　前記他の二つの基材の少なくとも一方は、数平均分子量が１８０００〜４００００の範囲で、環状オリゴマーコンテントが１．５ｗｔ％以下、固有粘度が０．５ｄｌ／ｇ以上の耐加水分解性を有するポリエステル基材であることを特徴とする請求項２
、３、６、